(57)【要約】【課題】構造がコンパクトで、体積が縮小され、コストが低い光モジュールのキャリアベースを提供する。【解決手段】本発明の光モジュールのキャリアベースは、絶縁ベース本体とリードフレームとを備え、絶縁ベース本体は縦壁を備え、縦壁の内側でキャリア部が広がり、キャリア部の内側に、機能領域が囲まれるように設けられ、縦壁およびキャリア部の上方に、レンズ収納領域が囲まれるように設けられ、リードフレームは、一部が絶縁ベース本体内に埋め込まれ、光学レンズの外周囲の縦壁には、ゲル注入ランナーが設けられ、ゲル注入ランナーは、縦壁に沿って下方へ向かい、光学レンズと絶縁ベース本体内に露出している導電ピンの一端との間まで曲がりながら延伸するようになっている。当該構成によれば、構造がコンパクトになり、体積が縮小され、コストが抑制される。【選択図】図５
2020092172.tif 000002
【特許請求の範囲】
【請求項１】
水晶片と光学レンズとを搭載するための光モジュールのキャリアベースであって、
絶縁ベース本体とリードフレームとを備え、
前記絶縁ベース本体は、縦壁を備え、当該縦壁の内側でキャリア部が広がり、当該キャリア部の内側に、前記水晶片を載せるための機能領域が囲まれるように設けられ、前記縦壁および前記キャリア部の上方に、前記光学レンズを載せるためのレンズ収納領域が囲まれるように設けられ、
前記リードフレームは、一部が前記絶縁ベース本体内に埋められるように設置され、
前記リードフレームは、複数の導電ピンを備え、これらの導電ピンは、前記光学レンズの下方に形成され、
前記光学レンズの外周囲の前記縦壁において、少なくとも１つのゲル注入ランナーが設けられ、当該ゲル注入ランナーは、前記縦壁に沿って下方に向かい、前記光学レンズの下方と前記絶縁ベース本体内に露出している前記導電ピンの一端との間まで曲がりながら延伸するようになっていることを特徴とする光モジュールのキャリアベース。
【請求項２】
請求項１に記載の光モジュールのキャリアベースにおいて、
前記ゲル注入ランナーの内部であって、前記光学レンズに近い隅部には、案内斜面が設けられていることを特徴とする光モジュールのキャリアベース。
【請求項３】
請求項１に記載の光モジュールのキャリアベースにおいて、
前記絶縁ベース本体は、中空の直方体となっていることを特徴とする光モジュールのキャリアベース。
【請求項４】
請求項３に記載の光モジュールのキャリアベースにおいて、
前記縦壁は、２つの第１縦壁と、２つの第２縦壁とを備え、
前記第１縦壁同士が対向して設置され、
前記第２縦壁は、それぞれ、各前記第１縦壁と隣接して繋がるように設置され、
前記キャリア部は、前記２つの第２縦壁および前記第１縦壁のうちの１つの内側に形成されていることを特徴とする光モジュールのキャリアベース。
【請求項５】
請求項４に記載の光モジュールのキャリアベースにおいて、
前記ゲル注入ランナーは、第１注入ランナーと、第２注入ランナーと、第３注入ランナーとを備え、
前記第１注入ランナーは、前記第１縦壁および前記第２縦壁に沿って下方に向かい、
前記第２注入ランナーは、前記第１注入ランナーと連通しているとともに、前記第１注入ランナーの末端から曲がりながら延伸し、前記第１縦壁において案内斜面が形成され、
前記第３注入ランナーは、前記第２注入ランナーと連通しているとともに、前記光学レンズの下方と前記絶縁ベース本体内に露出している前記導電ピンの一端との間まで延伸していることを特徴とする光モジュールのキャリアベース。
【請求項６】
請求項４に記載の光モジュールのキャリアベースにおいて、
前記キャリア部は、１つの第１バーと、２つの第２バーとを備え、
前記１つの第１バーと前記２つの第２バーとは、Ｕ字状を形成するように設けられていることを特徴とする光モジュールのキャリアベース。
【請求項７】
請求項６に記載の光モジュールのキャリアベースにおいて、
前記第１バーは、前記第１縦壁の内側から内方に向かって延伸し、
前記第２バーは、それぞれ各前記第２縦壁の内側から内方に向かって延伸し、前記第１バーの一端に繋がっていることを特徴する光モジュールのキャリアベース。
【請求項８】
請求項４に記載の光モジュールのキャリアベースにおいて、
前記ゲル注入ランナーは、第１注入ランナーと、第２注入ランナーと、第３注入ランナーとを備え、
前記第１注入ランナーは、前記第１縦壁および前記第２縦壁に沿って下方へ向かい、
前記第２注入ランナーは、前記第１注入ランナーと連通しているとともに、前記第１注入ランナーの末端から曲がりながら延伸し、前記第２縦壁において案内斜面が形成され、
前記第３注入ランナーは、前記第２注入ランナーと連通しているとともに、前記光学レンズの下方と前記絶縁ベース本体内に露出している前記導電ピンの一端との間まで延伸していることを特徴とする光モジュールのキャリアベース。
【請求項９】
請求項１に記載の光モジュールのキャリアベースにおいて、
前記リードフレームは、モリブデン銅合金またはタングステン銅合金で構成されていることを特徴とする光モジュールのキャリアベース。
【請求項１０】
請求項１に記載の光モジュールのキャリアベースにおいて、
前記導電ピンは、１つの第１導電ピンと、２つの第２導電ピンとを備え、
前記第１導電ピンは、平板状のものであり、前記機能領域の真下に位置し、
前記２つの第２導電ピンは、いずれも階段状のものであり、それぞれ前記機能領域の後方に位置していることを特徴とする光モジュールのキャリアベース。
【請求項１１】
請求項１に記載の光モジュールのキャリアベースにおいて、
前記絶縁ベース本体の下方に接続されたセラミックベースをさらに備え、当該セラミックベースは、複数の導電シートを有し、各前記導電シートは、それぞれ、各前記導電ピンと電気的に接続されていることを特徴とする光モジュールのキャリアベース。
【請求項１２】
請求項１１に記載の光モジュールのキャリアベースにおいて、
前記導電ピンは、１つの第１導電ピンと、２つの第２導電ピンとを備え、
前記第１導電ピンは、平板状のものであり、前記機能領域の真下に位置し、
前記２つの第２導電ピンは、いずれもボール状のものであり、それぞれ、前記機能領域の後方に位置していることを特徴とする光モジュールのキャリアベース。
【発明の詳細な説明】
【技術分野】
【０００１】
本発明は、キャリアベース技術に関し、特に、光モジュールのキャリアベースに関する。
【背景技術】
【０００２】
レーザによる直接成形で電子デバイスを作製することによって、電子デバイスを大幅に小型化することができる。その原理は、プラスチック部品・回路基板に、電気的接続を提供することにより、アンテナ、サポート、シールドおよび保護などの機能を実現させることである。いわゆる３Ｄ−ＭＩＤ（３ Dimension Molded Interconnection Device）の形成の適用は、製造プロセスが短く、精度が高く、電子製品の軽薄短小の発展傾向に適合しているなどの利点を有している。
【発明の概要】
【発明が解決しようとする課題】
【０００３】
しかしながら、レーザによる直接成形の技術を利用して形成された回線は、擦り傷や外部衝撃などによって回線の短絡失効が発生し易い。また、レーザによる直接成形の製造工程は、コストが高く、特に、セラミック基板に適用される場合、フラット型設計しか採用することができない場合が多いので、カスタマイズ化基板のニーズを満たすことができず、したがって、設計が制限され、コストが高いなどの欠点が存在している。
【０００４】
本発明は、上記課題に鑑みてなされたものであって、構造がコンパクトであり、体積が縮小され、コストが低い光モジュールのキャリアベースを提供することを目的としている。
【課題を解決するための手段】
【０００５】
上記目的を達成するために、本発明は、水晶片と光学レンズとを搭載するための光モジュールのキャリアベースを提供する。当該光モジュールのキャリアベースは、絶縁ベース本体と、リードフレームとを備え、前記絶縁ベース本体は、縦壁を備え、当該縦壁の内側でキャリア部が広がり、当該キャリア部の内側に、前記水晶片を載せるための機能領域が囲まれるように設けられ、前記縦壁および前記キャリア部の上方に、前記光学レンズを載せるためのレンズ収納領域が囲まれるように設けられ、前記リードフレームは、一部が前記絶縁ベース本体内に埋められるように設置され、前記リードフレームは、複数の導電ピンを備え、これらの導電ピンは、前記光学レンズの下方に形成され、前記光学レンズの外周囲の前記縦壁において、少なくとも１つのゲル注入ランナーが設けられ、当該ゲル注入ランナーは、前記縦壁に沿って下方に向かい、前記光学レンズの下方と前記絶縁ベース本体内に露出している前記導電ピンの一端との間まで曲がりながら延伸するようになっている。
【０００６】
本発明において、前記ゲル注入ランナーの内部であって、前記光学レンズに近い隅部には、案内斜面が設けられていることが好ましい。また、前記絶縁ベース本体は、中空の直方体となっていることが好ましい。また、前記縦壁は、２つの第１縦壁と、２つの第２縦壁とを備え、前記第１縦壁同士が対向して設置され、前記第２縦壁は、それぞれ、各前記第１縦壁と隣接して繋がるように設置され、前記キャリア部は、前記２つの第２縦壁および前記第１縦壁のうちの１つの内側に形成されていることが好ましい。また、前記ゲル注入ランナーは、第１注入ランナーと、第２注入ランナーと、第３注入ランナーとを備え、前記第１注入ランナーは、前記第１縦壁および前記第２縦壁に沿って下方に向かい、前記第２注入ランナーは、前記第１注入ランナーと連通しているとともに、前記第１注入ランナーの末端から曲がりながら延伸し、前記第１縦壁において案内斜面が形成され、前記第３注入ランナーは、前記第２注入ランナーと連通しているとともに、前記光学レンズの下方と前記絶縁ベース本体内に露出している前記導電ピンの一端との間まで延伸していることが好ましい。また、前記キャリア部は、１つの第１バーと、２つの第２バーとを備え、前記１つの第１バーと前記２つの第２バーとは、Ｕ字状を形成するように設けられていることが好ましい。また、前記第１バーは、前記第１縦壁の内側から内方に向かって延伸し、前記第２バーは、それぞれ各前記第２縦壁の内側から内方に向かって延伸し、前記第１バーの一端に繋がっていることが好ましい。
【０００７】
また、本発明において、前記ゲル注入ランナーは、第１注入ランナーと、第２注入ランナーと、第３注入ランナーとを備え、前記第１注入ランナーは、前記第１縦壁および前記第２縦壁に沿って下方へ向かい、前記第２注入ランナーは、前記第１注入ランナーと連通しているとともに、前記第１注入ランナーの末端から曲がりながら延伸し、前記第２縦壁において案内斜面が形成され、前記第３注入ランナーは、前記第２注入ランナーと連通しているとともに、前記光学レンズの下方と前記絶縁ベース本体内に露出している前記導電ピンの一端との間まで延伸しているが好ましい。また、前記リードフレームは、モリブデン銅合金またはタングステン銅合金で構成されていることが好ましい。また、前記導電ピンは、１つの第１導電ピンと、２つの第２導電ピンとを備え、前記第１導電ピンは、平板状のものであり、前記機能領域の真下に位置し、前記２つの第２導電ピンは、いずれも階段状のものであり、それぞれ前記機能領域の後方に位置していることが好ましい。また、前記絶縁ベース本体の下方に接続されたセラミックベースをさらに備え、当該セラミックベースは、複数の導電シートを有し、各前記導電シートは、それぞれ、各前記導電ピンと電気的に接続されていることが好ましい。また、前記導電ピンは、１つの第１導電ピンと、２つの第２導電ピンとを備え、前記第１導電ピンは、平板状のものであり、前記機能領域の真下に位置し、前記２つの第２導電ピンは、いずれもボール状のものであり、それぞれ、前記機能領域の後方に位置していることが好ましい。
【発明の効果】
【０００８】
本発明によれば、構造がコンパクトであり、体積が縮小され、コストが抑制される。また、本発明において、ゲル注入ランナーの内部に案内斜面を設けることにより、導電性ゲルの流動および注入を容易にすることができ、モリブデン銅合金またはタングステン銅合金で製造された導電ピンを設置することにより、製品の変形を効果的に避けることができ、絶縁ベース本体の一体型設計により、構造の強度を向上させるとともに、全体の高さを低減することができる。
【図面の簡単な説明】
【０００９】
【図１】図１は、本発明の実施の形態に係る光モジュールのキャリアベースを示す斜視図である。
【図２】図２は、図１の２−２線の断面図である。
【図３】図３は、図１の３−３線の断面図である。
【図４】図４は、図１の光モジュールのキャリアベースと光学レンズとが結合した場合の平面図である。
【図５】図５は、図４の５−５線の断面図である。
【図６】図６は、本発明の他の実施の形態に係る光モジュールのキャリアベースを示す斜視図である。
【図７】図７は、図６の７−７線の断面図である。
【図８】図８は、図６の光モジュールのキャリアベースと光学レンズとが結合した場合の平面図である。
【図９】図９は、図８の９−９線の断面図である。
【発明を実施するための形態】
【００１０】
次に、図面を参照しながら、本発明の実施の形態に係る光モジュールのキャリアベースを説明する。但し、図面および技術内容の説明は、本発明を理解するためのものであり、本発明を限定するためのものではない。
【００１１】
図１〜図５に示すように、本実施の形態の光モジュールのキャリアベース１は、水晶片７と光学レンズ８とを搭載するためのものである。水晶片７は、発光水晶片とし、光学レンズ８は、光フィルターとすることができる。光モジュールのキャリアベース１は、主に、絶縁ベース本体１０とリードフレーム３０とを備えている。
【００１２】
絶縁ベース本体１０は、絶縁性の良いプラスチック材料で作製されたものであり、その外形は様々な幾何形状とすることができる。本実施の形態において、絶縁ベース本体１０は中空の直方体とするが、この形状に限定されない。絶縁ベース本体１０は、主に、２つの第１縦壁１１と、２つの第２縦壁１２とを備え、第１縦壁１１同士は対向して配置されており、第２縦壁１２は、それぞれ、各第１縦壁１１と隣接して繋がるように設置されている。
【００１３】
キャリア部１３は、２つの第２縦壁１２および後方の第１縦壁１１の内側で広がるように形成されている。本実施の形態において、キャリア部１３は、主に、１つの第１バー１３１と２つの第２バー１３２とを備え、第１バー１３１と２つの第２バー１３２とは、略Ｕ字状を形成するように設けられている。
【００１４】
第１バー１３１は、第１縦壁１１の内側から内方に向かって延伸しており、第２バー１３２は、それぞれ、各第２縦壁１２の内側から内方に向かって延伸し、第１バー１３１の一端に繋がっている。
【００１５】
キャリア部１３の内側と前方の第１縦壁１１との間には、水晶片７を載せるための機能領域１４が囲まれるように設けられている。２つの第１縦壁１１と２つの第２縦壁１２とに囲まれて、キャリア部１３の上方において、レンズ収納領域１５が形成されている。当該レンズ収納領域１５は、光学レンズ８を載せるためのものである。
【００１６】
リードフレーム３０は、導電性の良い金属材料で作製されたものであり、モリブデン銅合金またはタングステン銅合金で製造されたものとすることが好ましい。その性能は、次の表１および表２に示す通りである。なお、熱伝導率および熱膨張係数は、いずれも温度が２５℃の条件でのものである。
【００１７】
リードフレーム３０は、絶縁ベース本体１０によって一部が埋め込まれるようになっている。本実施の形態において、リードフレーム３０は、主に、１つの第１導電ピン３１と２つの第２導電ピン３２とを含み、第１導電ピン３１と第２導電ピン３２とは、いずれも光学レンズ８の下方に形成されている。第１導電ピン３１は、平板状のものであり、絶縁ベース本体１０の機能領域１４の真下に位置している。２つの第２導電ピン３２は、いずれも階段状のものであり、それぞれ、絶縁ベース本体１０の２つの隅に位置し、機能領域１４の後方部分に形成されている。
【００１８】
【表１】
2020092172.tif 000003
【００１９】
【表２】
2020092172.tif 000004
【００２０】
上記金属材料以外に、例えば、銅、シリコン、アルミニウム、モリブデン、酸化アルミニウム、これらの組み合わせ、これらの化合物、あるいはこれらの合金などの熱伝導物質であってもよい。
【００２１】
光学レンズ８の外周囲であって、第１縦壁１１と第２縦壁１２とが接する箇所において、ゲル注入ランナーＡが設けられている。当該ゲル注入ランナーＡは、導電性ゲル（図示省略）の注入に使われるものである。
【００２２】
本実施の形態において、ゲル注入ランナーＡは、主に、第１注入ランナーＡ１と、第２注入ランナーＡ２と、第３注入ランナーＡ３とを備えている。第１注入ランナーＡ１は、第１縦壁１１および第２縦壁１２に沿って下方へ向かうようになっている。第２注入ランナーＡ２は、第１注入ランナーＡ１と連通しているとともに、第１注入ランナーＡ１の末端から曲がりながら延伸し、第１縦壁１１において案内斜面Ｂが形成されるようになっている。第３注入ランナーＡ３は、第２注入ランナーＡ２と連通しているとともに、光学レンズ８の下方と絶縁ベース本体１０内に露出している各第２導電ピン３２の一端との間まで延伸している。
【００２３】
光学レンズ８は、ＩＴＯ（Indium Tin Oxide；インジウムスズ酸化物）導電性膜８１をさらに備えている。当該ＩＴＯ導電性膜８１は、光学レンズ８の下面に形成され、一部がゲル注入ランナーＡの第３注入ランナーＡ３の中に露出している。
【００２４】
本発明の光モジュールのキャリアベースは、上述した実施の形態以外に、他の実施の形態として、例えば、図６〜図９に示す光モジュールのキャリアベース１Ａとすることができる。光モジュールのキャリアベース１Ａは、さらに、セラミックベース５０を備えている。当該セラミックベース５０は、絶縁ベース本体１０の下方に接続され、その上面および下面には、それぞれ複数の導電シート５１がコーディングされている。上方の各導電シート５１は、それぞれ、各導電ピン３１、３２と電気的に接続されている。
【００２５】
また、当該他の実施の形態において、各第２導電ピン３２は、いずれもボール状となっており、しかも、それぞれ、絶縁ベース本体１０の２つの隅に位置し、機能領域１４の後方部分に形成されている。
【００２６】
さらに、当該他の実施の形態において、案内斜面Ｂは、第２縦壁１２上に形成されている。そうすれば、光モジュールのキャリアベース１Ａは、上述した光モジュールのキャリアベース１と同じ効果を得ることができる。
【符号の説明】
【００２７】
１、１Ａ    光モジュールのキャリアベース
１０    絶縁ベース本体
１１    第１縦壁
１２    第２縦壁
１３    キャリア部
１３１    第１バー
１３２    第２バー
１４    機能領域
１５    レンズ収納領域
３０    リードフレーム
３１    第１導電ピン
３２    第２導電ピン
Ａ    ゲル注入ランナー
Ａ１    第１注入ランナー
Ａ２    第２注入ランナー
Ａ３    第３注入ランナー
Ｂ    案内斜面
５０    セラミックベース
５１    導電シート
７    水晶片
８    光学レンズ
【図１】
2020092172.tif 000005
【図２】
2020092172.tif 000006
【図３】
2020092172.tif 000007
【図４】
2020092172.tif 000008
【図５】
2020092172.tif 000009
【図６】
2020092172.tif 000010
【図７】
2020092172.tif 000011
【図８】
2020092172.tif 000012
【図９】
2020092172.tif 000013